(57)【要約】【課題】  通信中の相手との通話中に、簡単な操作で、近傍に存在する他の電話機を当該通信中の通話に参加させることができる電話装置を提供する。【解決手段】  移動可能な無線電話機３Ａで相手端末６と通話中に、当該通話中の通信に近隣の有線電話機４Ａを参加させる場合、まず、電話機３Ａの操作者は当該電話機３Ａを電話機４Ａの傍へ持って行き、電話機３Ａのリーダ３８Ａにより電話機４Ａのタグ４９Ａから電話番号又は内線を特定するＩＤ情報を読取る。すると電話機３Ａは呼制御装置１へ読取ったＩＤ情報を含む通信会議要求を送信し、呼制御装置１は電話機３Ａと通話中の相手端末６との通話を電話機４Ａへ同報配信する。呼制御装置１は、電話機４Ａからの音声も、該当通話中の相手へ中継して送信する。【選択図】  図１
2010219584.tif 000002
【特許請求の範囲】
【請求項１】
通信会議機能を具備する呼制御装置に帰属する電話装置であって、
自電話装置の近傍に存在する無線タグ又はバーコードから前記呼制御装置に帰属する他電話装置を特定するＩＤ情報を読み取るＩＤ情報読取手段と、複数の電話装置による通信会議の実行を前記呼制御装置に要求する通信会議要求手段を有し、
第１の他電話装置と通信中に予め定められた特定操作があった場合に、
前記ＩＤ情報読取手段は、自電話装置の近傍に存在する無線タグ又はバーコードからＩＤ情報を読み取り、
前記通信会議要求手段は、自電話装置および前記第１の他電話装置および前記読み取ったＩＤ情報に対応する第２の他電話装置による通信会議の実行を前記呼制御装置に要求することを特徴とする通信会議要求機能を有する電話装置。
【発明の詳細な説明】
【技術分野】
【０００１】
本発明は、相手と通話中に、近傍に存在する他の電話機を当該通話に参加させることを呼制御装置に要求できる電話装置に関する。
【背景技術】
【０００２】
ボタン電話システムや構内電話システム（ＰＢＸ）等の内線電話システム、又は電話会議システムにおいて、２台以上の電話機を使用して電話会議を行う技術がある（例えば特許文献１）。
【０００３】
しかしながら、特許文献１に記載された技術では、事前に電話会議を行うための設定やダイヤルを押下する等、設定や操作が煩雑で面倒であった。また、電話会議に係る専用の装置が必要になるため、設備コストも無視できない。
【先行技術文献】
【特許文献】
【０００４】
【特許文献１】特開２００２−４４２６３号公報
【発明の概要】
【発明が解決しようとする課題】
【０００５】
本発明の課題は、相手と通話中に、簡単な操作で、近傍に存在する他の電話機を当該通信中の通話に参加させることができる電話装置を提供することにある。
【課題を解決するための手段】
【０００６】
上記課題を解決するために、本発明は、通信会議機能を具備する呼制御装置に帰属する電話装置であって、自電話装置の近傍に存在する無線タグ又はバーコードから前記呼制御装置に帰属する他電話装置を特定するＩＤ情報を読み取るＩＤ情報読取手段と、複数の電話装置による通信会議の実行を前記呼制御装置に要求する通信会議要求手段を有し、第１の他電話装置と通信中に予め定められた特定操作があった場合に、前記ＩＤ情報読取手段は、自電話装置の近傍に存在する無線タグ又はバーコードからＩＤ情報を読み取り、前記通信会議要求手段は、自電話装置および前記第１の他電話装置および前記読み取ったＩＤ情報に対応する第２の他電話装置による通信会議の実行を前記呼制御装置に要求することを特徴とする。
【発明の効果】
【０００７】
本発明によれば、通話中の通話に参加させたい近傍の電話機の無線タグ又はバーコードからタグ情報を読み込むので、ダイヤル操作を含む複雑なキー操作が不要となる利点がある。また、電話会議に係る専用の設備を使わないので経済的である。
【図面の簡単な説明】
【０００８】
【図１】本発明の実施形態に係る全体構成図
【図２】呼制御装置１の機能ブロック図
【図３】無線電話機３のブロック構成図
【図４】有線電話機４のブロック構成図
【図５】本発明における通信会議移行処理のシーケンス図
【図６】本発明における無線電話機３又は有線電話機４の動作フローチャート図
【発明を実施するための形態】
【０００９】
以下、本発明の実施形態について図面を用いて説明する。図１は、本発明に係る内線電話システムの全体構成図であって、１は呼制御装置、２は無線アクセスポイント、３Ａ，３Ｂは無線電話機（電話機３と略すこともある）、４Ａ，４Ｂは有線電話機（電話機４と略すこともある）、５は電話ネットワーク、６は通話中の相手端末である。呼制御装置１は外線と内線の接続を処理する装置であって、ボタン電話システムの主装置や構内電話交換機（ＰＢＸ）である。無線電話機３は無線アクセスポイント２による無線内線を介して呼制御装置１と接続される。有線電話機４は内線（有線）を介して呼制御装置１と接続される。通話中の相手端末６とは、電話ネットワーク５（外線）及び呼制御装置１を介して内線の無線電話機３又は有線電話機４と接続される。なお、外線及び内線は通常のアナログ電話回線やＩＳＤＮ回線だけでなく、ＩＰ（Ｉｎｔｅｒｎｅｔ  Ｐｒｏｔｏｃｏｌ）回線であってもよい。また、図１において、呼制御装置１と有線電話機４を分けて説明し、これ以降も分けた構成図で説明するが、呼制御装置１と有線電話機４が一体化した単独電話機であってもよい。
【００１０】
無線電話機３は、無線タグリーダ（以下リーダと略すこともある）３８と、無線タグ（以下タグと略すこともある）３９を有する。同様に、有線電話機４は、無線タグリーダ４８と、無線タグ４９を有する。無線タグ３９又は４９は電話機に貼られており、当該電話機の電話番号が記憶されている。無線タグリーダ３８又は４８は近隣の電話機に貼られた無線タグから当該電話機のＩＤ情報を読取る。なお、本実施例の無線タグリーダ及び無線タグはバーコードリーダ及びバーコードタグであってもよい。また、無線タグは電話機の近傍に存在していればよく、電話機に貼られていなくてもよい。
【００１１】
ここで、本発明による相手と通話中に、簡単な操作で、近傍に存在する他の電話装置を当該通信中の通話に参加させる方式について概略を説明する。なお、詳細は後述する。例えば、移動可能な無線電話機３Ａで相手端末６と通話中に、当該通話中の通信に近隣の有線電話機４Ａを参加させる場合、まず、電話機３Ａの操作者は当該電話機３Ａを電話機４Ａの傍へ持って行き、電話機３Ａのリーダ３８Ａにより電話機４Ａのタグ４９Ａから電話番号又は内線を特定するＩＤ情報を読取る。すると電話機３Ａは呼制御装置１へ読取ったＩＤ情報を含む通信会議要求を送信し、呼制御装置１は電話機３Ａと通話中の相手端末６との通話を電話機４Ａへ同報配信する。呼制御装置１は、電話機４Ａからの音声も、該当通話中の相手へ中継して送信する。
【００１２】
図２は、呼制御装置１の機能ブロック図であって、１１は外線対応部、１２は通話処理部、１３は内線対応部、１４は通信会議制御部、１５は主制御部である。外線対応部１１を介して接続されている通話中の相手端末６と、内線対応部１３を介して接続されている電話機３又は電話機４の間を通話処理部１２が通話を中継している間（通話中）に、無線電話機３又は有線電話機４からの通信会議要求が、内線対応部１３を介して主制御部１５に入力すると、主制御部１５は通信会議制御部１４に通信会議移行を指示し、通信会議制御部１４は、通話処理部１２へ近隣の電話機の通話参加を指示する。
【００１３】
図３は無線電話機３のブロック構成図であって、３１は無線対応部、３２は通話処理部、３３はマイク及びスピーカ、３４はキー操作部、３５は特定操作検出部、３６は端末制御部、３７は表示部、３８は無線タグリーダ、３９は無線タグである。通話処理部３２はマイクから入力される音声を符号化したり、無線対応部３１から受信する音声データを復号化したり、音量を調整する機能を有する。
【００１４】
特定操作検出部３５は、キー操作部３４からの信号を監視し、予め定められた特定操作を検出し、端末制御部３６へ通知する。特定操作検出部３５が通話中に通信会議に係る特定操作を検出すると、端末制御部３６は無線タグリーダ３８をＯＮし、無線タグリーダ３８は近傍の無線タグからの情報を読取る。
【００１５】
なお、通信会議に係る予め定められた特定操作としては、例えば通話中の「＃」や「＊」等のキー押下でもよいし、専用のキー押下でもよい。いずれにしても、無線タグリーダ３８が常時ＯＮだと誤動作の恐れがあるので、所定の特定操作があった時にだけ無線タグリーダを一定時間ＯＮにするのが望ましい。
【００１６】
図４は有線電話機４のブロック構成図であって、４０は電話機本体、４１は内線対応部、４２は通話処理部、４３はハンドセット、４４はキー操作部、４５は特定操作検出部、４６は端末制御部、４７は表示部、４８は無線タグリーダ、４９は無線タグである。内線対応部４１は呼制御装置１の内線対応部１３と内線（有線）接続される。ハンドセット４３は通話音声を入出力するための送受話器であり、本体４０とは伸縮可能なカールコード（図示せず）で接続されている。そして、ハンドセット４３には通話音声を入出力するためのマイク４３１とスピーカ４３２に加え、無線タグリーダ４８が実装され、さらにハンドセット４３の適当な箇所に無線タグ４９が貼られている。これにより、本体４０が固定設置であっても、伸縮可能なカールコードで接続されたハンドセット４３内の無線タグリーダ４８及び無線タグ４９を近傍の電話機の傍へ近づけることが可能となる。なお、その他の部分は図３で説明した無線電話機３の同一名称の部分と基本的に同じ機能，動作であるので、詳細な説明は省く。
【００１７】
図５は本発明における通信会議移行処理のシーケンスであって、例えば、無線電話機３の操作者が、相手端末６と通話している時に、話しを横で聞いていた近傍の有線電話機４の使用者が通話に参加する場合である。なお、通話中の相手端末６は電話ネットワーク５を介さない内線接続された無線電話機３又は有線電話機４であってもよい。
【００１８】
まず、無線電話機３の操作者が相手端末６と通話中であり、音声は呼制御装置１を中継し通話している間に（Ｓ５０１，Ｓ５０２）、通信会議を開始するための特定操作をすると（Ｓ５０３）、無線電話機３の特定操作検出部３５がキー操作部３４からのこの特定操作を検出し端末制御部３６へ通知する。端末制御部３６は無線タグリーダ３８をＯＮにし、近傍の無線タグからタグ内のＩＤ情報を読める状態にする（Ｓ５０４）。
【００１９】
無線タグリーダ３８がＯＮの状態で近傍に対象の無線タグが存在していると、無線タグリーダ３８はタグ内に記憶されているＩＤ情報（電話番号又は内線）を読込む（Ｓ５０５）。なお、実際には移動可能な無線電話機３の操作者が、当該無線電話機３の無線タグリーダ３８の実装部分を、通信参加先である有線電話機４の無線タグ４９の装着部に無線通信可能な範囲内に近づけてタッチすることにより、無線タグ４９内の当該有線電話機４のＩＤ情報を通信参加先の電話番号として読み取る。そして、ＩＤ情報を読込んだ無線電話機３は、当該読込んだＩＤを通信参加先として、呼制御装置１へ通信会議要求を送信する（Ｓ５０６）。
【００２０】
通信会議要求（Ｓ５０６）を受付けた呼制御装置１は、通信会議移行処理を開始し（Ｓ５０７）、通信会議要求コマンドに含まれる通信参加先のＩＤ情報により、有線電話機４を呼出す（Ｓ５０８）。そして、有線電話機４が呼出しに応答すると（Ｓ５０９，Ｓ５１０）、呼制御装置１は通信会議に移行し（Ｓ５１１）、通信会議移行ＯＫを無線電話機３に送信し（Ｓ５１２）、有線電話機４と通話路を確立し通話を開始する（Ｓ５１３，Ｓ５１４，Ｓ５１５）。通話中の相手端末６へ送信すべき音声は、電話機３からの音声及び電話機４からの音声を合成してもよいし、発信権を獲得した特定端末の音声のみを選択的に送信してもよい。通話中の相手端末６へ送信すべき電話機３からの音声及び電話機４からの音声は、生の音声を聞けるので、送信元の各端末にフィードバックしてもよいし、フィードバックしなくともよい。
【００２１】
なお、以上の例は、通話中の無線電話機３により、通話中の通信に有線電話機４を参加させる方法であるが、逆に通話中の有線電話機４の操作者が、当該通話中の通信の傍に居る人の無線電話機３を参加させる場合は、通話中の有線電話機４で特定操作をして、通話に参加させたい無線電話機３の無線タグ３９の装着部を有線電話機４の無線タグリーダ４８の実装部に近づけてタッチすればよい。また、無線電話機３で通話中の通信に他の無線電話機３を参加させることも当然可能であり、その場合は、お互いに携帯している無線電話機３同士をタッチすればよい。
【００２２】
さらに、固定設置された有線電話機４で通話中の通信に他の有線電話機４を参加させる場合であっても、図４に示す通り、無線タグリーダ４８と無線タグ４９は共にハンドセット４３に装着され、有線電話機４の本体４０とは伸縮可能なカールコードで接続されるので、お互いのカールコードが伸びる長さ（数ｍ程度）の範囲内でタッチして、通話参加先の有線電話機４の無線タグ４９の情報を通話中の無線タグリーダ４８で読取り可能である。
【００２３】
図６は無線電話機３又は有線電話機４の動作フローチャートである。本フローは通話中の状態からスタートする（Ｓ６０１）。通話中に特定操作があると（Ｓ６０２，ＹＥＳ）、端末制御部３６又は４６は同制御部内のタイマ（図示せず）を起動する（Ｓ６０３）と共に、無線タグリーダ３８又は４８をＯＮにする（Ｓ６０４）。
【００２４】
無線タグリーダが近傍の無線タグから通話に参加させたい無線電話機３又は有線電話機４のＩＤ情報を読込むと（Ｓ６０５，ＹＥＳ）、端末制御部３６又は４６は無線タグリーダ３８又は４８をＯＦＦにし（Ｓ６０６）、読込んだＩＤ情報を使用して通信会議移行表示を表示部３７又は４７に表示する（Ｓ６０７）。なお、表示部には読込んだＩＤ情報から電話番号を特定し、「○○氏の電話機を本通話に参加させますか？」のようなメッセージも表示されており、操作者がＩＤ情報を確認の上、通信会議移行開始ＯＫを意味するキー操作をする（例えば“＃”押下）。
【００２５】
なお、無線タグリーダの読み取り範囲が狭い場合（例えば数センチ）、無線タグを無線タグリーダが装着された部位に近接又はタッチする必要があり、この近接又はタッチの動作自体で多者通話モードへの移行意思ＯＫと判断し、Ｓ６０７，Ｓ６０８は、「○○氏の電話機を本通話に参加させます。」のようなメッセージを表示し、Ｓ６０８の判断を省略してもよい。又は、無線タグリーダの読み取り範囲が広く（例えば数ｍ）、複数の無線タグからのＩＤ情報を読み込んでしまった場合に、Ｓ６０７で読込んだデータを表示し、Ｓ６０８で特定のデータを指定するようにしてもよい。
【００２６】
タグリーダをＯＮ（Ｓ６０４）してから、ＩＤ情報を読取れない場合（Ｓ６０５，ＮＯ）、又は、通信会議移行開始ＯＫが無い場合（Ｓ６０８，ＮＯ）、タイムアウト前（Ｓ６０９，ＮＯ）であればＳ６０５に戻り、タイムアウト後（Ｓ６０９，ＹＥＳ）であれば、タグリーダをＯＦＦ（Ｓ６１１）の上、Ｓ６１２に進む。
【００２７】
通信会議移行開始が指示されると（Ｓ６０８，ＹＥＳ）、端末制御部３６又は４６は、無線対応部３１又は内線対応部４１を介して、通話参加先のＩＤ情報を含む通信会議要求を呼制御装置１へ送信する（Ｓ６１０）。そして、呼制御装置１からの通信会議移行ＯＫを受けて（Ｓ６１２，ＹＥＳ）、本フローは終了する（Ｓ６１３）。もし、通信会議要求に対して呼制御装置１からの通信会議移行ＯＫが無ければ（Ｓ６１２，ＮＯ）、通信会議移行失敗であり、Ｓ６０２へ戻り、通話は継続される。なお、以上の例は、３者通話について説明したが、図６のフローを繰り返せば、３者以上の多者通話モードを実現できる。
【００２８】
以上説明した通り、本発明によれば、通話中に特定操作して他電話機に装着された無線タグと無線タグリーダを近接させる又はタッチするという簡単な操作で、他電話機と３者通話又は３者以上の通信会議を実行できるので、操作性に優れていると共に、ダイヤル操作等の押し間違いもない。
【００２９】
ところで、本発明の実施形態として図１に示すような内線電話システムを例に説明したが、本発明はこれに限られない。例えば、無線アクセスポイント２は呼制御装置１と一体化されていてもよい。また、外線及び内線がＩＰ回線であって、呼制御装置１がＩＰ−ＰＢＸや呼制御サーバで、無線アクセスポイントが無線ＬＡＮアクセスポイントで、無線電話機３が無線ＬＡＮ電話機で、有線電話機４がＩＰ電話機であってもよい。
【００３０】
なお、特定操作としては、キー操作の代わりに、通話参加先電話機の無線タグ部と通話中電話機の無線タグリーダ部のタッチとし、先に通話参加先電話機のＩＤ情報を読込んでおいて、「○○氏の電話機を通話に参加させますか？」のような表示メニューから選択するようにしてもよい。さらに、呼制御装置１は電話ネットワーク５を介して接続される、いわゆるＩＰセントレックスのＣＡ（Ｃａｌｌ  Ａｇｅｎｔ）であってもよい。
【符号の説明】
【００３１】
１・・・呼制御装置
２・・・無線アクセスポイント
３・・・無線電話機
４・・・有線電話機
５・・・電話ネットワーク
６・・・通話中の相手端末
１１・・・外線対応部
１２・・・通話処理部
１３・・・内線対応部
１４・・・通信会議制御部
１５・・・主制御部
３１・・・無線対応部
３２，４２・・・通話処理部
３３・・・マイク及びスピーカ
３４，４４・・・キー操作部
３５，４５・・・特定操作検出部
３６，４６・・・端末制御部
３７，４７・・・表示部
３８，４８・・・無線タグリーダ
３９，４９・・・無線タグ
４０・・・電話機本体
４１・・・内線対応部
４３・・・ハンドセット
【図１】
2010219584.tif 000003
【図２】
2010219584.tif 000004
【図３】
2010219584.tif 000005
【図４】
2010219584.tif 000006
【図５】
2010219584.tif 000007
【図６】
2010219584.tif 000008